(57)【要約】      （修正有）【課題】通常のプラスチックボトルにも応用が可能であり、高度な密封性や防湿性が期待でき、リクローズ時の密封性も良好であり、さらに不正開封防止バンドを使用することが可能な包装容器を提供する。【解決手段】シール部材４によって封緘された口栓部２と、口栓部に螺合し、裾部に不正開封防止バンド５を備えたキャップ３と、容器本体１とを有する包装容器であって、キャップは、不正解封防止バンドとシール部材を除去した後には口栓部に嵌合して容器を再封止するインナーリング６を有し、不正開封防止バンドは、キャップを未開封の状態で、インナーリングがシール部材に進入してシール部材を破壊することを防止する。【選択図】図１
2010269811.tif 000002
【特許請求の範囲】
【請求項１】
シール部材によって封緘された口栓部と、該口栓部に螺合し、裾部に不正開封防止バンドを備えたキャップと、容器本体とを有する包装容器であって、該キャップは、不正解封防止バンドとシール部材を除去した後には口栓部に嵌合して容器を再封止するインナーリングを有し、前記不正開封防止バンドは、キャップを未開封の状態で、インナーリングがシール部材に進入してシール部材を破壊することを防止するものであることを特徴とする包装容器。
【請求項２】
前記不正解封防止バンドは、前記キャップを口栓部から取り外すことによって、キャップから切断され、さらに口栓部から除去されることを特徴とする請求項１に記載の包装容器。
【請求項３】
容器本体およびシール部材は、ガスバリア性を有することを特徴とする請求項１または２に記載の包装容器。
【発明の詳細な説明】
【技術分野】
【０００１】
本発明は、包装容器に関し、密封性や防湿性に優れ、再封止が可能なキャップ付き容器に関する。
【背景技術】
【０００２】
容器本体の開口部にねじ付きのキャップを有する容器で、広く用いられているものとして、飲料用のＰＥＴボトルが挙げられる。これらの容器は、水分の多い内容物を収納することを目的としているため、当然の事ながら防湿性を考慮した容器ではない。また密封性についても、高度の密封性を要求されるものではない。
【０００３】
高度の密封性が得られる容器の密封機構として、硬質樹脂からなるキャップ本体と軟質樹脂からなる中栓とからなるキャップを用いて、容器本体の口頸部とキャップが螺着する構造により密封性を高めた容器の密封機構が提案されている（特許文献１参照）。この容器の密封機構は、容器本体の口頸部の外周面に設けられている雄ネジに硬質樹脂のキャップ本体の内周面に設けられている雌ネジを螺合させて装着するものであり、キャップをねじ込むだけの簡単な操作で密封ができるものである。
【０００４】
また、一方、いたずら防止のための不正解封防止機構を有するキャップと、プルリングで開封する注出口具を組み合わせた口栓が提案されている（特許文献２参照）。この口栓は、キャップが不正開封されると、不正開封されたことが外観から一目瞭然に確認でき、注出口具に不正解封防止封緘リングが残ることがなく、キャップで再封したときの再封性が良好な口栓である。
【０００５】
また、容器にキャップを装着した状態で、その容器の内容物を加熱滅菌しても、シール材とキャップの間に水が残留せず、さらに、容器からキャップを外し、注出口からシール材を開封した後、容器にキャップを再装着しても注出口を簡易に素早く密封することが出来る注出口の密封機構が提案されている（特許文献３参照）。この注出口の密封機構は、容器の注出口天面にリング溝を刻設し、該リング溝内面に非固着状態で注出口天面をシール材で密封して、かつリング溝に沿うコンタクトリングをキャップ内面に設けてなるものである。
【先行技術文献】
【特許文献】
【０００６】
【特許文献１】特開2005-193942号公報
【特許文献２】特開2006-1599号公報
【特許文献３】特開2007-30895号公報
【発明の概要】
【発明が解決しようとする課題】
【０００７】
特許文献１に記載された密封機構は、密封性を軟質樹脂のクッション性に依存しているため、高度な密封性は期待できない。また不正開封防止手段がないため、万一いたずらをされても、検知することができないという欠点がある。特許文献２に記載された口栓は、プルリングによる開封口が口栓と一体に成形されているので、容器本体に口栓を取り付けた後から内容物を充填することはできない。このため、容器本体に内容物を充填した後に容器本体と口栓を接着するという工程を経る必要があり、従って実際上は、容器本体が、軟質の包装袋に限定されるという問題がある。また特許文献３に記載された注出口の密封機構によると、注出口を密封するシール材をキャップのねじ込みによって注出口に密着さ
せる方法を採用しているため、密封の程度にばらつきが発生する可能性がある。また、構造上、不正開封防止手段である不正開封防止バンドを設けることができないという問題がある。
【０００８】
本発明の解決しようとする課題は、従来の上記の問題点に鑑み、通常のプラスチックボトルにも応用が可能であり、高度な密封性や防湿性を実現することができ、リクローズ時の密封性も良好であり、さらに不正開封防止バンドを使用することが可能な包装容器を提供しようとするものである。
【課題を解決するための手段】
【０００９】
上記の課題を解決するための手段として、請求項１に記載の発明は、シール部材によって封緘された口栓部と、該口栓部に螺合し、裾部に不正開封防止バンドを備えたキャップと、容器本体とを有する包装容器であって、該キャップは、不正解封防止バンドとシール部材を除去した後には口栓部に嵌合して容器を再封止するインナーリングを有し、前記不正開封防止バンドは、キャップを未開封の状態で、インナーリングがシール部材に進入してシール部材を破壊することを防止するものであることを特徴とする包装容器である。
【００１０】
また、請求項２に記載の発明は、前記不正解封防止バンドが、前記キャップを口栓部から取り外すことによって、キャップから切断され、さらに口栓部から除去されることを特徴とする請求項１に記載の包装容器である。
【００１１】
また、請求項３に記載の発明は、容器本体およびシール部材がガスバリア性を有することを特徴とする請求項１または２に記載の包装容器である。
【発明の効果】
【００１２】
本発明に係る包装容器は、口栓部がシール部材によって封緘されているので、シール部材のバリア性を選択することにより、高度な密封性が期待でき、また密封性のばらつきも少なく、安定した品質が保証される。また、口栓部に螺合し、裾部に不正開封防止バンドを備えたキャップを有するので、容器の不正開封を防止することができる。また万一不正開封された場合には、一目でそれを確認することができる。
【００１３】
また、キャップは、不正開封防止バンドとシール部材を除去した後には口栓部に嵌合して容器を再封止するインナーリングを有するので、再封止が可能であり、かつ再封止時の密封性も十分に確保できる。また、不正開封防止バンドは、キャップを未開封の状態で、インナーリングがシール部材に進入してシール部材を破壊することを防止するものであるから、誤操作により、キャップを必要以上にねじ込んでしまい、インナーリングによってシール部材を破壊してしまうという事故を未然に防止することができる。
【００１４】
また、不正解封防止バンドが、キャップを口栓部から取り外すことによって、自動的にキャップから切断され、さらに口栓部から除去されるようにした場合は、開封操作が容易になり包装容器の使い勝手が向上する。
【００１５】
また、容器本体およびシール部材をガスバリア性を有するものとした場合には、さらに高度なガスバリア性を有する包装容器を実現することができる。
【図面の簡単な説明】
【００１６】
【図１】図１は、本発明に係る包装容器の一実施態様における口栓部とキャップの構造を示した断面模式図である。
【図２】図２は、図１に示した包装容器のキャップを外し、シール部を開封した状態を示した断面説明図である。
【図３】図３は、図１、図２に示した包装容器を再封止した状態を示した断面模式図である。
【発明を実施するための形態】
【００１７】
以下、図面に従って本発明に係る包装容器について詳細に説明する。
図１は、本発明に係る包装容器の一実施態様における口栓部２とキャップ３の構造を示した断面模式図である。本発明に係る包装容器は、容器本体１と口栓部２とキャップ３とを有し、口栓部２は、シール部材４によって封緘されている。キャップ３は、裾の部分に不正開封防止バンド５を有しており、ねじ部７によって口栓部２のねじ部８と螺合するようになっている。キャップ３は、不正開封防止バンド５を除去しない限り、開栓することはできない。従って、キャップ３を一旦開栓し、何らかのいたずらをした上で、再度元通りにする等ということはできないものである。不正開封防止バンド５は、図には示されていないが、開封のきっかけとなるタブを手で引くことにより、引き裂いて除去することができるようになっている。
【００１８】
キャップ３にはインナーリング６が設けられているが、不正開封防止バンド５が存在する限り、キャップ３をねじ込む方向に回転させたとしても、図１の状態よりも押し込むことは、できない。従って、誤操作によりキャップ３をねじ込む方向に回転させようとしたとしても、インナーリング６が、シール部材４を突き破ったりすることはない。
【００１９】
シール部材４としては、バリア性の良い材料が使用される。具体的には、アルミニウム箔単体、アルミニウム箔と熱可塑性樹脂フィルムとの複合材、紙とアルミニウム箔との複合材、紙とバリア性フィルムとの複合材、バリア性フィルムと熱可塑性樹脂フィルムとの複合材などを使用することができる。容器の口栓部２とシール部材４との封緘は、両者の材質によって異なるが、シール部材４のシール面に設けたシーラント層の熱融着による方法や、ホットメルト接着剤などの接着剤による方法が用いられる。シール部材４には、図示されていないが、タブを設けて、開封時のきっかけが容易に掴めるようにすると良い。
【００２０】
不正開封防止バンド５とキャップ本体との間が点状の脆弱部分で繋がるようにしておき、キャップ３を開封することにより、自動的にこの脆弱部分が破断するようにしてもよい。この時、不正解封防止バンドには縦方向の切込みを入れておき、上下方向の破断と同時に水平方向にも破断するようにしておくことにより、不正開封防止バンドを容易に除去することができる。
【００２１】
図２は、図１に示した包装容器のキャップを外し、シール部を開封した状態を示した断面説明図である。不正開封防止バンド５を切断除去し、キャップ３を開封することにより、初めてシール部材４の開封が可能となる。キャップ３を開封しない限りシール部材４を開封することはできないので、不正に開封された場合には、外観から容易に察知することができる。
【００２２】
図３は、図１、図２に示した包装容器を再封止した状態を示した断面模式図である。シール部材を除去した後、キャップ３を口栓部２にねじ込んで、ねじ部７と８の螺合によって固定することにより、キャップ３の内部に設けたインナーリング６が口栓部２の開口部に嵌合するので、シール部材が存在していた時のバリア性と同等のバリア性は期待できないが、実用上問題のない程度の密封性を保持した状態で再封止が可能となる。
【００２３】
本発明に係る包装容器は、密封方法が容器の口栓部へのシール部材の封緘によるものであるため容器本体１としては、広範な選択が可能となる。口栓部と容器本体が一体となっ
たプラスチックボトルとすることも可能であり、軟包装フィルムによって製袋された軟包装容器を口栓部に接合した容器でも良い。いずれの場合でも、容器本体に内容物を充填した後に、シール部材を封緘することにより密封することができる。
【００２４】
容器本体をガスバリア性の高いものとした場合には、通常の容器では保存できないような内容物でも長期保存することが可能となる。容器本体のガスバリア性を向上させる手段としては、容器本体がプラスチックボトルである場合であれば、ガスバリア性の樹脂を含む多層ボトルとする方法や、プラスチックボトルの内面にプラズマを用いたＣＶＤ法により無機蒸着層を設ける方法などがある。また容器本体が軟包装フィルムを製袋した袋である場合には、軟包装フィルムの層構成中にガスバリア性のフィルムやアルミニウム箔を用いることによって、容器としてのガスバリア性を確保することが可能となる。
【００２５】
このように、本発明に係る包装容器は、シール部材による封緘方法を用いたために、広範な内容物に対して、適用が可能となり、非常に汎用性の高い包装容器とすることが可能となった。またねじの螺合によるキャップには、再封止用のインナーリングを設けたので、開封後の再封止が可能である。また不正開封防止手段を有するので、不正開封を防止すると共に、誤操作によりシール部材を破損してしまう事故を防止することも可能となった。シール部材と容器本体をガスバリア性の高いものとする事により、揮発しやすい内容物や、酸化しやすい内容物、あるいは吸湿しやすい内容物にも適用が可能である。
【符号の説明】
【００２６】
１・・・容器本体
２・・・口栓部
３・・・キャップ
４・・・シール部材
５・・・不正開封防止バンド
６・・・インナーリング
７・・・ねじ部
８・・・ねじ部
【図１】
2010269811.tif 000003
【図２】
2010269811.tif 000004
【図３】
2010269811.tif 000005